(57)【要約】【課題】無線ＬＡＮシステムのパラメータ群を簡易かつ迅速に切替可能な無線ＬＡＮ通信パラメータ設定装置、無線端末及び無線ＬＡＮ通信パラメータ設定方法を提供する。【解決手段】本発明に係る無線ＬＡＮ通信パラメータ設定装置は、無線ＬＡＮ情報テーブル１とパラメータ群選択部２とを備えている。無線ＬＡＮ情報テーブル１には、複数の無線ＬＡＮ基地局それぞれの識別子と、各無線ＬＡＮ基地局との通信に必要なパラメータ群との対応関係が格納されている。パラメータ群選択部２は、無線ＬＡＮ情報テーブル１に格納されたパラメータ群の中から、実際に無線通信を行うのに必要な一部のパラメータ群を選択する。無線端末の属性情報に基づいて、使用すべき無線ＬＡＮシステムのパラメータ群を選択するため、最も利用頻度の高いパラメータ群を優先設定でき、無線ＬＡＮシステムのセットアップ時間の短縮化を図れる。【選択図】　図２
2004015210.tif 000002
【特許請求の範囲】
【請求項１】
複数の無線ＬＡＮ基地局それぞれの識別子と、これら無線ＬＡＮ基地局それぞれとの通信に必要なパラメータ群とを格納する無線ＬＡＮ情報格納部と、
前記識別子とそれに対応する前記パラメータ群とに対応づけて、有線または無線ＬＡＮの使用形態に関する所定の属性情報を格納する属性格納部と、
前記属性情報に基づいて、前記無線ＬＡＮ情報格納部に格納されたパラメータ群の中から一部のパラメータ群を選択するパラメータ群選択部と、を備えることを特徴とする無線ＬＡＮ通信パラメータ設定装置。
【請求項２】
前記属性情報は、ＩＰアドレス情報を含んでおり、
前記パラメータ群選択部は、直前の所定期間内に他の通信インタフェースでの通信に利用したＩＰアドレスが前記属性情報中のＩＰアドレス情報に含まれるか否かにより、前記パラメータ群の選択を行うことを特徴とする請求項１に記載の無線ＬＡＮ通信パラメータ設定装置。
【請求項３】
現在位置を計測する位置計測部を備え、
前記属性情報は、位置情報を含んでおり、
前記パラメータ群選択部は、前記計測された現在位置が前記属性情報中の位置情報に含まれるか否かにより、前記パラメータ群の選択を行うことを特徴とする請求項１に記載の無線ＬＡＮ通信パラメータ設定装置。
【請求項４】
前記属性情報は、アプリケーションに関する情報を含んでおり、
前記パラメータ群選択部は、現在起動しているアプリケーションが前記属性情報中のアプリケーションに関する情報に含まれるか否かにより、前記パラメータ群の選択を行うことを特徴とする請求項１に記載の無線ＬＡＮ通信パラメータ設定装置。
【請求項５】
前記属性情報は、有線または無線ネットワーク情報を含んでおり、
前記パラメータ群選択部は、直前に他の通信インタフェースで通信を行っていた有線または無線ネットワーク情報が前記属性情報中の有線または無線ネットワーク情報に合致するか否かにより、前記パラメータ群の選択を行うことを特徴とする請求項１に記載の無線ＬＡＮ通信パラメータ設定装置。
【請求項６】
前記パラメータ群選択部は、直前に他の通信インタフェースで通信を行ってからの経過時間が所定時間以下か否かにより、前記パラメータ群の選択を行うことを特徴とする請求項５に記載の無線ＬＡＮ通信パラメータ設定装置。
【請求項７】
複数の無線ＬＡＮ基地局のそれぞれと無線通信を行うことが可能な無線端末において、
複数の無線ＬＡＮ基地局それぞれの識別子と、これら無線ＬＡＮ基地局それぞれとの通信に必要なパラメータ群とを格納する無線ＬＡＮ情報格納部と、
前記識別子とそれに対応する前記パラメータ群とに対応づけて、無線ＬＡＮの使用形態に関する所定の属性情報を格納する属性格納部と、
前記属性情報に基づいて、前記無線ＬＡＮ情報格納部に格納されたパラメータ群の中から一部のパラメータ群を選択するパラメータ群選択部と、を備えることを特徴とする無線端末。
【請求項８】
複数の無線ＬＡＮ基地局それぞれの識別子と、これら無線ＬＡＮ基地局それぞれとの通信に必要なパラメータ群とを無線ＬＡＮ情報格納部に格納するステップと、
前記識別子とそれに対応する前記パラメータ群とに対応づけて、所定の属性情報を格納するステップと、
前記属性情報に基づいて、前記無線ＬＡＮ情報格納部に格納されたパラメータ群の中から一部のパラメータ群を選択するステップと、を備えることを特徴とする無線ＬＡＮ通信パラメータ設定方法。
【発明の詳細な説明】
【０００１】
【発明の属する技術分野】
本発明は、無線ＬＡＮシステムを使用する際に必要なパラメータ群の設定を行う無線ＬＡＮ通信パラメータ設定装置、無線端末及び無線ＬＡＮ通信パラメータ設定方法に関する。
【０００２】
【従来の技術】
近年、コンピュータネットワークの形態として、無線デバイスが急速に普及しつつある。その理由は、ＩＳＭ（Ｉｎｄｕｓｔｒｙ　Ｓｃｉｅｎｃｅ　Ｍｅｄｉｃａｌ）バンドと呼ばれる２．４ＧＨｚ帯を使用した無線デバイスが特定小電力無線局に認定されたため、免許不要で使用できるためである。
【０００３】
この中でも特に、ＩＥＥＥ８０２．１１互換の無線ＬＡＮシステムが普及している。ＩＥＥＥ８０２．１１方式の無線ＬＡＮシステムでは、各アクセスポイントに対するユーザの接続可否をＳＳＩＤという識別子で行っている。アクセスポイント〜端末間の通信路を暗号化する手法として、ＷＥＰという暗号化方式があり、この暗号化鍵を正しく設定することで、各ユーザは安全に無線ＬＡＮを使用して通信することができる。
【０００４】
【発明が解決しようとする課題】
一般に、特定の箇所で無線ＬＡＮシステムを利用する場合、上記のＳＳＩＤやＷＥＰのための鍵情報などのセキュリティパラメータの集合（以下、パラメータ群と呼ぶ）が必要になる。このパラメータ群は、無線ＬＡＮの設定情報として独立に与えられるが、一般には、無線ＬＡＮシステムの種類ごとに与えられる。このため、例えば無線ＬＡＮ環境を提供する複数のオフィスを渡り歩いたり、無線ＬＡＮベースのＩＳＰ（Ｉｎｔｅｒｎｅｔ　Ｓｅｒｖｉｃｅ　Ｐｒｏｖｉｄｅｒｓ）に移動した場合には、パラメータ群を迅速に切り替える必要がある。
【０００５】
しかしながら、従来は、個々の無線ＬＡＮシステム用のパラメータ群を迅速に切り替えることができず、無線ＬＡＮシステムの利用効率が悪く、またユーザの使い勝手も悪かった。
【０００６】
本発明は、このような点に鑑みてなされたものであり、その目的は、無線ＬＡＮシステムのパラメータ群を簡易かつ迅速に切替可能な無線ＬＡＮ通信パラメータ設定装置、無線端末及び無線ＬＡＮ通信パラメータ設定方法を提供することにある。
【０００７】
【課題を解決するための手段】
上述した課題を解決するために、本発明は、複数の無線ＬＡＮ基地局それぞれの識別子と、これら無線ＬＡＮ基地局それぞれとの通信に必要なパラメータ群とを格納する無線ＬＡＮ情報格納部と、前記識別子とそれに対応する前記パラメータ群とに対応づけて、有線または無線ＬＡＮの使用形態に関する所定の属性情報を格納する属性格納部と、前記属性情報に基づいて、前記無線ＬＡＮ情報格納部に格納されたパラメータ群の中から一部のパラメータ群を選択するパラメータ群選択部と、を備える。
【０００８】
本発明では、ＩＰアドレス等の属性情報に基づいてパラメータ群の選択を行うため、無線ＬＡＮシステムの利用効率向上とユーザの使い勝手の向上が図れる。
【０００９】
【発明の実施の形態】
以下、本発明に係る無線ＬＡＮ通信パラメータ設定装置について、図面を参照しながら具体的に説明する。以下では、本発明に係る無線ＬＡＮ通信パラメータ設定装置を無線端末に内蔵させた例について説明する。この種の無線端末は、例えばパーソナルコンピュータ（以下、ＰＣと呼ぶ）に内蔵あるいは取り付けられる。
【００１０】
図１はこの種の無線端末を内蔵するＰＣの利用形態を示す図である。図１は、オフィス内に２つの無線ＬＡＮドメイン（ドメインＡ，Ｂ）を設け、オフィス外に２つの無線スポットサービスエリア（ホットスポットＣ，Ｄ）を設け、家庭内でホームネットワークＥを介して無線ＩＳＰの提供が受けられるようにした例を示している。
【００１１】
図１のオフィス内、スポットサービスエリア及び家庭内の各無線ＬＡＮエリアでは、例えばＩＥＥＥ８０２．１１ｂの無線ＬＡＮがサポートされており、各無線ＬＡＮエリアごとに、個々のドメインを特定するためのＳＳＩＤというパラメータと、無線リンクを暗号化するためのＷＥＰ鍵とが割り当てられている。これらをユーザが共有することにより、アクセス許可されたユーザのみが各無線ＬＡＮ資源を利用できるようにしている。
【００１２】
図２は図１のＰＣに内蔵される無線ＬＡＮ通信パラメータ設定装置の内部構成の一例を示すブロック図である。図示のように、無線ＬＡＮ通信パラメータ設定装置は、無線ＬＡＮ情報テーブル１とパラメータ群選択部２とを備えている。
【００１３】
無線ＬＡＮ情報テーブル１には、複数の無線ＬＡＮ基地局それぞれの識別子と、各無線ＬＡＮ基地局との通信に必要なパラメータ群との対応関係が格納されている。パラメータ群選択部２は、無線ＬＡＮ情報テーブル１に格納されたパラメータ群の中から、実際に無線通信を行うのに必要な一部のパラメータ群を選択する。
【００１４】
図３は無線ＬＡＮ情報テーブル１のデータ構成の一例を示す図である。ドメインＡはＳＳＩＤがＨＯＧＥでＷＥＰ鍵がＡ１６７２であり、ドメインＢはＳＳＩＤがＫＡＭＥでＷＥＰ鍵がＡ８９７ｈであり、ドメイン（ホットスポット）ＣはＳＳＩＤがｄｏｃｏｍｏ８８でＷＥＰ鍵が６ｄｇ７であり、ドメイン（ホットスポット）ＤはＳＳＩＤがｋｄｄｉ７６５８でＷＥＰ鍵がｋａｂｕｒａｇｉであり、ドメイン（ホームネットワーク）ＥはＳＳＩＤがｋａｍａｔａｎｉ８でＷＥＰ鍵が８ｄ６ｇである。
【００１５】
実際には、ユーザごとに無線ＬＡＮ情報テーブル１を設け、ユーザ専用の無線ＬＡＮ情報テーブル１をアクセスすることもあるが、本実施形態では、簡略化のため、シングルユーザを念頭に置いて説明する。
【００１６】
図３のような無線ＬＡＮ情報テーブル１を作成しておけば、例えばモバイルユーザが移動中にある地点で無線ＬＡＮカードが使用可能になったときに、無線ＬＡＮ情報テーブル１の各エントリをスキャンして、利用可能な（リンク確立可能な）パラメータセットを検索し、それに基づいて通信を開始することができる。
【００１７】
図４は無線ＬＡＮ通信を開始するまでの処理手順を示すフローチャートである。まず、無線ＬＡＮが使用可能になったか否かを判定する（ステップＳ１）。例えば、無線ＬＡＮカードがＰＣに挿入されたことが検知された時点で、使用可能になったと判断する。
【００１８】
無線ＬＡＮが使用可能になると、無線ＬＡＮ情報テーブル１の各エントリごとに、ＳＳＩＤとＷＥＰ鍵を読み出し（ステップＳ２）、読み出したＳＳＩＤとＷＥＰ鍵を用いて無線リンクを確立できるか否かを順にテストする（ステップＳ３）。
【００１９】
その結果、無線リンクを確立できるＳＳＩＤとＷＥＰ鍵が存在すれば、対応する無線ＬＡＮシステムを選択する（ステップＳ４）。もし、複数の無線ＬＡＮシステムについて無線リンクを確立できる場合には、その旨をユーザに提示し、いずれか一つをユーザに選択させる。
【００２０】
本実施形態の無線ＬＡＮテーブルには、ＳＳＩＤとＷＥＰ鍵以外に、ＳＳＩＤとＷＥＰ鍵に対応づけられた所定の属性情報が格納されている。この属性情報は、無線ＬＡＮが使用可能になった時点での種々のデータ値を想定しており、その具体的内容は特に限定されない。
【００２１】
属性情報の具体例として、例えば以下の（１）〜（３）が考えられる。
【００２２】
（１）無線ＬＡＮが使用可能になった時点で、無線端末の他のインタフェース（例えば、有線ＬＡＮ）で使用していたＩＰアドレス。
【００２３】
（２）無線端末に装備されているＧＰＳ等により計測した位置情報。
【００２４】
（３）起動しているアプリケーション。
【００２５】
上述した（１）の場合の無線ＬＡＮ情報テーブル１には、図５に示すように、ＳＳＩＤとＷＥＰ鍵に対応づけて、無線ＬＡＮサービスエリア内に敷設されている有線ＬＡＮに割り付けられているＩＰアドレス情報が格納されている。
【００２６】
例えば、図１のオフィス内のドメインＡに属する部署の有線ＬＡＮのＩＰアドレスが１９２．１６８．１０．＊で、ドメインＢに所属する部署は１９２．１６８．２０．＊であると仮定する。このとき、直前までこれらのＩＰアドレスが無線端末の他のインタフェースに付与されて通信を行っていた場合は、無線端末はオフィス内で有線ＬＡＮ通信を行っていたと推定されるので、ドメインＡ，Ｂのパラメータ群を優先してチェックすべきといえる。
【００２７】
したがって、例えば直前まで１９２．１６８．１０．＊というアドレスを使って有線ＬＡＮ接続を行っていた場合、ドメインＡに対応する無線ＬＡＮシステムのパラメータ群を優先して選択する。この場合、直前に接続された有線ＬＡＮ接続情報の通信履歴を保持しておき、何分前まで通信していたかに基づいて無線ＬＡＮシステムを選択してもよい。
【００２８】
また、無線ＬＡＮ情報テーブル１の属性情報として、特定の無線ＬＡＮシステムのＩＰアドレスが格納されている場合は、直前に通信を行っていた無線ＬＡＮシステムのＩＰアドレスが無線ＬＡＮ情報テーブル１に格納されているＩＰアドレスと一致すれば、そのＩＰアドレスに対応するパラメータ群を優先して設定してもよい。
【００２９】
一方、（２）の場合の無線ＬＡＮ情報テーブル１には、図６に示すように、ＳＳＩＤとＷＥＰ鍵に対応づけて、無線端末の位置情報が格納されている。
【００３０】
無線端末の現在位置を無線端末のＧＰＳ等で計測し、計測された現在位置が無線ＬＡＮ情報テーブル１に格納された位置情報と一致または近似する場合、例えば、図１のスポットサービスエリアの範囲内あるいはそのエリアからの距離でＧＰＳ範囲を指定し、ＧＰＳ範囲内に無線端末に位置する場合には、対応する無線ＬＡＮシステムのパラメータ群を優先して選択する。
【００３１】
一方、（３）の場合の無線ＬＡＮ情報テーブル１には、図７に示すように、ＳＳＩＤとＷＥＰ鍵に対応づけて、アプリケーション名が格納されている。
【００３２】
無線ＬＡＮ情報テーブル１に格納されているアプリケーション名と同じアプリケーションを無線端末が起動している場合には、そのアプリケーション名に対応する無線ＬＡＮシステムのパラメータ群を優先的に選択する。
【００３３】
例えば、無線ＩＳＰ特有のアプリケーションが起動している場合、その無線ＩＳＰに接続するためのパラメータ群を優先的に設定する。この場合、起動アプリケーション名を指定する。例えば、ＪＯＬ　Ｃｈａｔというアプリケーションが起動している場合、図７のドメインＥを優先的に選択する。
【００３４】
上述した（１）〜（３）のいずれも、無線端末の属性情報に基づいて、使用すべき無線ＬＡＮシステムのパラメータ群を選択するため、最も利用頻度の高いパラメータ群を優先設定でき、無線ＬＡＮシステムのセットアップ時間の短縮化を図れる。
【００３５】
（第２の実施形態）
第２の実施形態は、上述した（１）〜（３）の属性情報を任意に組み合わせた条件に基づいて、パラメータ群の選択を行うものである。この場合、以下の（ａ），（ｂ）の２通りの手法が考えられる。
【００３６】
（ａ）上述した（１）〜（３）の条件に優先順位を設けて順次条件をチェックし、条件が合致した時点で、それに対応する無線ＬＡＮシステムのパラメータ群を設定する。
【００３７】
（ｂ）上述した（１）〜（３）の条件をすべて調べ、合致するものが複数あったら、これらをすべてリストアップし、他の条件に基づいていずれかの条件を選択する。
【００３８】
（ａ）の場合、例えばオフィス用ＰＣでは、直前に有線ＬＡＮを使用していた可能性が高いことを想定して、上述した（１）の条件を優先する。あるいは、無線ＩＳＰで主に利用されるＰＣの場合、上述した（３）の条件を優先する。以下では、上述した（１）の条件を優先する例について説明する。
【００３９】
この場合、図８に示すように、直前に通信を行っていた有線ＬＡＮで使用していたＩＰアドレスを一定期間保持するＩＰアドレス格納部１１を無線端末内に設ける必要がある。ＩＰアドレス格納部１１には、有線ドライバ１２で使用していたＩＰアドレスが格納される。本実施形態の無線ＬＡＮ通信パラメータ設定装置は、図８の無線ドライバ１３に内蔵される。有線ドライバ１２と無線ドライバ１３は、ＴＣＰ／ＩＰモジュール１４により制御される。
【００４０】
図９は無線ＬＡＮ通信パラメータ設定装置の第２の実施形態の処理動作を示すフローチャートである。まず、直前に通信を行っていたある通信インタフェースのネットワーク情報を取得する（ステップＳ１１）。次に、取得したネットワーク情報に該当する条件が無線ＬＡＮ情報テーブル１に存在するか否かを判定する（ステップＳ１２）。存在すれば、条件が存在することを示すフラグをセットする（ステップＳ１３）。
【００４１】
ステップＳ１２で条件がないと判定された場合、あるいはステップＳ１３の処理が終了した場合は、その他に通信インタフェースが存在するか否かを判定し（ステップＳ１４）、存在すればステップＳ１１に戻り、存在しなければフラグがセットされているエントリがあるか否かを判定し（ステップＳ１５）、エントリがあれば、そのエントリに合致する無線ＬＡＮシステムのパラメータ群を選択し（ステップＳ１６）、エントリがなければ、上述した（１）の条件を優先するのをやめて、（２）または（３）の条件に基づいて無線ＬＡＮシステムのパラメータ群を選択する（ステップＳ１７）。
【００４２】
一方、上述した（ｂ）の場合、想定される条件すべてについて、無線ＬＡＮ情報テーブル１を参照して合致する条件があるか否かを調べる。もし、合致する条件が一つであれば、その条件をそのまま選択すればよいが、合致する条件が複数ある場合は、別の基準を使ってそのうちの一つを選択する。別の基準としては例えば以下の（４）〜（６）が考えられる。
【００４３】
（４）有線ＬＡＮ接続を遮断してから所定時間ｔ１を越える場合は、直前の有線ＬＡＮ接続情報を利用しない。
【００４４】
（５）有線ＬＡＮ接続を遮断してから所定時間ｔ１以下の場合は、直前の有線ＬＡＮ接続情報を最優先する。
【００４５】
（６）使用するアプリケーション情報をＧＰＳによる位置情報よりも優先する。
【００４６】
（４）〜（６）を考慮に入れて選択を行う場合の処理手順は例えば図１０のようなフローチャートで表される。
【００４７】
まず、上述した（１）〜（３）の条件に合致する有線ＬＡＮ接続情報が複数あるか否かを判定し（ステップＳ２１）、一つしかなければその情報に基づいて無線ＬＡＮ情報テーブル１を参照して合致する無線ＬＡＮシステムのパラメータ群を選択する（ステップＳ２２）。
【００４８】
有線ＬＡＮ接続情報が複数ある場合は、直近に接続を行った有線ＬＡＮ接続情報を選択し（ステップＳ２３）、その有線ＬＡＮ接続が所定時間ｔ１以内に行われたか否かを判定する（ステップＳ２４）。所定時間ｔ１以内に行われた場合は、その直前の有線ＬＡＮ接続情報に基づいて無線ＬＡＮ情報テーブル１を参照して合致する無線ＬＡＮシステムのパラメータ群を選択する（ステップＳ２５）。
【００４９】
もし、有線ＬＡＮ接続が所定時間ｔ１以前に行われた場合は、使用しているアプリケーションが合致するか否かを判定し（ステップＳ２６）、合致する場合にはそのアプリケーションに基づいて所定の無線ＬＡＮシステムのパラメータ群を選択する（ステップＳ２７）。アプリケーションが合致しない場合は、ＧＰＳによる位置情報に基づいて所定の無線ＬＡＮシステムのパラメータ群を選択する（ステップＳ２８）。
【００５０】
このように、第２の実施形態では、複数の属性情報の組合せにより、無線ＬＡＮシステムと属性情報とを選択するため、いくつか候補がある場合に、その中から最適な候補を的確かつ迅速に選択できる。
【００５１】
上述した無線ＬＡＮ通信パラメータ設定装置は、ハードウェアで構成してもよいし、ソフトウェアで構成してもよい。ソフトウェアで構成する場合には、無線ＬＡＮ通信パラメータ設定装置の機能を実現するプログラムをフロッピーディスクやＣＤ−ＲＯＭ等の記録媒体に収納し、コンピュータに読み込ませて実行させてもよい。記録媒体は、磁気ディスクや光ディスク等の携帯可能なものに限定されず、ハードディスク装置やメモリなどの固定型の記録媒体でもよい。
【００５２】
また、上述した無線ＬＡＮ通信パラメータ設定装置の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００５３】
【発明の効果】
以上詳細に説明したように、本発明によれば、有線または無線ＬＡＮの使用形態に関する属性情報に基づいてパラメータ群の選択を行うため、ユーザの使用状況に応じて最適な無線ＬＡＮシステムとそのパラメータ群とを簡易かつ迅速に設定できる。
【図面の簡単な説明】
【図１】この種の無線端末を内蔵するＰＣの利用形態を示す図。
【図２】図１のＰＣに内蔵される無線ＬＡＮ通信パラメータ設定装置の内部構成の一例を示すブロック図。
【図３】無線ＬＡＮ情報テーブルのデータ構成の一例を示す図。
【図４】無線ＬＡＮ通信を開始するまでの処理手順を示すフローチャート。
【図５】ＳＳＩＤとＷＥＰ鍵に対応づけてＩＰアドレス情報を格納した無線ＬＡＮ情報テーブルの一例を示す図。
【図６】ＳＳＩＤとＷＥＰ鍵に対応づけて無線端末の位置情報を格納した無線ＬＡＮ情報テーブルの一例を示す図。
【図７】ＳＳＩＤとＷＥＰ鍵に対応づけてアプリケーション名を格納した無線ＬＡＮ情報テーブルの一例を示す図。
【図８】ＩＰアドレス格納部を有する無線端末の一例を示すブロック図。
【図９】無線ＬＡＮ通信パラメータ設定装置の第２の実施形態の処理動作を示すフローチャート。
【図１０】別の基準を考慮に入れて選択を行う場合の処理手順を示すフローチャート。
【符号の説明】
１　無線ＬＡＮ情報テーブル
２　パラメータ群選択部
１１　ＩＰアドレス格納部
１２　有線ドライバ
１３　無線ドライバ
１４　ＴＣＰ／ＩＰモジュール
【図１】
2004015210.tif 000003
【図２】
2004015210.tif 000004
【図３】
2004015210.tif 000005
【図４】
2004015210.tif 000006
【図５】
2004015210.tif 000007
【図６】
2004015210.tif 000008
【図７】
2004015210.tif 000009
【図８】
2004015210.tif 000010
【図９】
2004015210.tif 000011
【図１０】
2004015210.tif 000012
【手続補正書】
【提出日】平成15年9月26日(2003.9.26)
【手続補正１】
【補正対象書類名】図面
【補正対象項目名】全図
【補正方法】変更
【補正の内容】
【図１】
2004015210.tif 000013
【図２】
2004015210.tif 000014
【図３】
2004015210.tif 000015
【図４】
2004015210.tif 000016
【図５】
2004015210.tif 000017
【図６】
2004015210.tif 000018
【図７】
2004015210.tif 000019
【図８】
2004015210.tif 000020
【図９】
2004015210.tif 000021
【図１０】
2004015210.tif 000022